(57)【特許請求の範囲】
【請求項１】
Ｎチャンネルのオーディオ信号を主チャンネル数Ｍ（Ｎ＞Ｍ）を超えるチャンネル数Ｌ（Ｎ＞Ｌ＞Ｍ）にミキシングするために、第ｎチャンネルの入力信号を第ｍチャンネルに加算するための重み係数Ｃｎｍ（ｎ＝０〜Ｎ−１，ｍ＝０〜Ｍ−１）を第ｎチャンネルの入力信号に乗じるＮ×Ｍ個の係数乗算回路と、主チャンネルの入力信号に前記係数乗算回路で係数Ｃｎｍを乗じて同じ主チャンネルに出力するＭ個除いた（Ｎ−１）×Ｍ個の前記係数乗算回路の出力を主チャンネルに加算する（Ｎ−１）×Ｍ個の加算回路と、前記加算回路に出力されないＭ個の係数乗算回路の出力と前記（Ｎ−１）×Ｍ個の加算回路の出力とを主チャンネルの出力信号に用いるか否かを選択するＮ×Ｍ個の主チャンネルスイッチ回路と、前記主チャンネルスイッチ回路を制御する主チャンネル制御回路と、係数Ｃｎｍを使った正規化係数で副チャンネルの入力信号を正規化する（Ｎ−Ｍ）個の正規化係数乗算回路と、副チャンネルの入力信号と前記正規化係数乗算回路の出力と”０”とから択一して副チャンネルの出力信号とする（Ｎ−Ｍ）個の副チャンネルスイッチ回路と、前記副チャンネルスイッチ回路を制御する副チャンネル制御回路とを設けたことを特徴とするオーディオ再生装置。
【請求項２】
Ｎチャンネルのオーディオ信号をＭチャンネルのオーディオ信号にミキシングして出力する場合には、主チャンネルの入力信号に係数Ｃｎｍ（ｎ＝ｍ）を乗じて同じ主チャンネルに出力するＭ個の係数乗算回路の出力を主チャンネルスイッチ回路が選択するように、主チャンネル制御回路が制御し、（Ｎ−１）×Ｍ個の加算回路の出力を主チャンネルスイッチ回路が選択するように、主チャンネル制御回路が制御し、副チャンネルスイッチ回路が”０”を選択するように、副チャンネル制御回路が制御する請求項１記載のオーディオ再生装置。
【請求項３】
Ｎチャンネルのオーディオ信号をＭを越えるチャンネル数Ｌ（Ｎ＞Ｌ＞Ｍ）のオーディオ信号にミキシングして出力する場合には、主チャンネルにミキシングされる（Ｎ−Ｌ）個の副チャンネルの入力信号が係数乗算回路で係数Ｃｎｍを乗じられて（Ｎ−Ｌ）×Ｍ個の加算回路で主チャンネルのオーディオ信号と加算された信号を主チャンネルスイッチ回路が選択するように、主チャンネル制御回路が制御し、主チャンネルにミキシングされない（Ｌ−Ｍ）個の副チャンネルの入力信号が係数乗算回路で係数Ｃｎｍを乗じられて（Ｌ−Ｍ）×Ｍ個の加算回路で主チャンネルのオーディオ信号と加算された信号を主チャンネルスイッチ回路が選択しないように、主チャンネル制御回路が制御し、主チャンネルにミキシングされる（Ｎ−Ｌ）個の副チャンネルスイッチ回路が”０”を選択するように、副チャンネル制御回路が制御し、主チャンネルにミキシングされない（Ｌ−Ｍ）個の副チャンネルスイッチ回路が正規化係数乗算回路の出力を選択するように、副チャンネル制御回路が制御する請求項１記載のオーディオ再生装置。
【請求項４】
Ｎチャンネルのオーディオ信号をミキシングせずにＮチャンネルのオーディオ信号を出力する場合には、主チャンネルの入力信号に係数Ｃｎｍ（ｎ＝ｍ）を乗じて同じ主チャンネルに出力するＭ個の係数乗算回路の出力を主チャンネルスイッチ回路が選択しないように、主チャンネル制御回路が制御し、（Ｎ−１）×Ｍ個の加算回路の出力を主チャンネルスイッチ回路が選択しないように、主チャンネル制御回路が制御し、副チャンネルスイッチ回路が副チャンネルの入力信号を選択するように、副チャンネル制御回路が制御する請求項１記載のオーディオ再生装置。
【請求項５】
正規化係数乗算回路が副チャンネルの入力信号に乗じる正規化係数は、
【数１】
0004269489.tif 000002
で示す係数Ｓであることを特徴とする請求項１記載のオーディオ再生装置。
【請求項６】
正規化係数乗算回路が副チャンネルの入力信号に乗じる正規化係数は、
【数２】
0004269489.tif 000003
で示す係数Ｓであることを特徴とする請求項１記載のオーディオ再生装置。
【請求項７】
Ｎチャンネルのオーディオ信号を主チャンネル数Ｍ（Ｎ＞Ｍ）を超えるチャンネル数Ｌ（Ｎ＞Ｌ＞Ｍ）にミキシングするために、Ｎチャンネルの入力信号ＸｎをＭチャンネルの出力信号Ｙｉにミキシングするための係数Ｃｎｍ（ｎ＝０〜Ｎ−１，ｍ＝０〜Ｍ−１）を用いて、Ｎチャンネルの入力信号ＸｎをＭチャンネルの出力信号Ｙｉにミキシングする
【数３】
0004269489.tif 000004
において、主チャンネルにミキシングしない（Ｌ−Ｍ）個の副チャンネルｊの係数Ｃｊｍ（ｍ＝０〜Ｍ−１）を強制的に”０”として主チャンネルの出力信号Ｙｉを得て、
【数４】
0004269489.tif 000005
に示すように主チャンネルにミキシングしない副チャンネルの入力信号Ｘｊに正規化係数Ｓを乗じて副チャンネルの出力信号Ｙｊを得ることを特徴とするオーディオ再生方法。
【発明の詳細な説明】
【０００１】
【発明の属する技術分野】
本発明は、ＤＶＤオーディオのようなマルチチャンネル（チャンネル数＞２チャンネル）のオーディオ再生装置に関する。
【０００２】
【従来の技術】
最近、オーディオ再生装置はＤＶＤオーディオのようなマルチチャンネルのものが種々提案されている。
【０００３】
図７，図８は従来のオーディオ再生装置の構造を示すブロック図であり、Ｎ（Ｎ＝６）チャンネル（左フロント：Ｌｆ，右フロント：Ｒｆ，センター：Ｃ，左サラウンド：Ｌｓ，右サラウンド：Ｒｓ，低域成分：ＬＦＥ）のオーディオ信号を、それより低チャンネル数であるＭ（Ｍ＝２）チャンネル（Ｌｆ，Ｒｆ）の主チャンネルのオーディオ信号にミキシングするものである。そのために、第ｎチャンネルの入力信号を第ｍチャンネルに加算するための重み係数Ｃｎｍ（ｎ＝０〜Ｎ−１，ｍ＝０〜Ｍ−１）を第ｎチャンネルの入力信号に乗じるＮ×Ｍ（＝１２）個の係数乗算回路１３９〜１５０と、主チャンネルの入力信号に係数Ｃｎｍを乗じて同じ主チャンネルに出力するＭ個の前記係数乗算回路１３９，１４２除いた（Ｎ−１）×Ｍ個の前記係数乗算回路１４０，１４１，１４３〜１５０の出力を主チャンネルに加算する（Ｎ−１）×Ｍ個（＝１０）の加算回路１２９〜１３８と、主チャンネルの入力信号と最終段の前記加算回路１３３，１３８の出力とを切り替えて主チャンネルの出力信号とするＭ個の主チャンネルスイッチ回路１５１，１５２と、前記主チャンネルスイッチ回路を制御する主チャンネル制御回路１６１と、副チャンネル入力信号と”０”とから択一して副チャンネル出力信号とする（Ｎ−Ｍ）個の副チャンネルスイッチ回路１２５〜１２８と、前記副チャンネルスイッチ回路を制御する副チャンネル制御回路１６２より構成されている。
【０００４】
図７はＮ（Ｎ＝６）チャンネル（Ｌｆ，Ｒｆ，Ｃ，Ｌｓ，Ｒｓ，ＬＦＥ）の入力信号をミキシングせずに、そのままＮチャンネルで出力する場合の、Ｍ個の主チャンネルスイッチ回路１５１，１５２と、（Ｎ−Ｍ）個の副チャンネルスイッチ回路１２５〜１２８との動作を示す。Ｍ個の主チャンネルスイッチ回路１５１，１５２は、主チャンネル（Ｌｆ，Ｒｆ）の入力信号を主チャンネルの出力信号とするように、主チャンネル制御回路１６１が制御する。そして（Ｎ−Ｍ）個の副チャンネルスイッチ回路１２５〜１２８は、副チャンネル（Ｃ，Ｌｓ，Ｒｓ，ＬＦＥ）の入力信号を副チャンネルの出力信号とするように、副チャンネル制御回路１６２が制御する。
【０００５】
図８はＮ（Ｎ＝６）チャンネル（Ｌｆ，Ｒｆ，Ｃ，Ｌｓ，Ｒｓ，ＬＦＥ）の入力信号をミキシングして、Ｍ（Ｍ＝２）チャンネルで出力する場合の、Ｍ個の主チャンネルスイッチ回路１５１，１５２と（Ｎ−Ｍ）個の副チャンネルスイッチ回路１２５〜１２８との動作を示す。Ｍ個の主チャンネルスイッチ回路１５１，１５２は、最終段の加算回路１３３，１３８の出力信号を主チャンネルの出力信号とするように、主チャンネル制御回路１６１が制御する。そして（Ｎ−Ｍ）個の副チャンネルスイッチ回路１２５〜１２８は、”０”を副チャンネルの出力信号とするように、副チャンネル制御回路１６２が制御する。
【０００６】
【発明が解決しようとする課題】
この従来のオーディオ再生装置においては、Ｎ（Ｎ＝６）チャンネル（Ｌｆ，Ｒｆ，Ｃ，Ｌｓ，Ｒｓ，ＬＦＥ）のオーディオ信号をそのままＮチャンネルで出力するか、Ｍ（Ｍ＝２）チャンネル（Ｌｆ，Ｒｆ）にミキシングして出力することはできる。ところが、Ｎチャンネルのオーディオ信号を主チャンネル数Ｍを超えるチャンネル数Ｌ（Ｎ＞Ｌ＞Ｍ）にミキシングして出力することはできないために、実際の家庭ではスピーカをＮ個全て揃えることは容易ではないので、Ｎチャンネルより少ないＬチャンネルにミキシングするオーディオ再生装置が要求されている。
【０００７】
本発明は、Ｎチャンネル全てで再生する場合に比べて、マルチチャンネルオーディオ再生のバランスを損なうことなく、Ｎチャンネルのオーディオ信号をＭチャンネルにミキシングするための係数を用いて、Ｎチャンネルのオーディオ信号を主チャンネル数Ｍ（Ｎ＞Ｍ）を超えるチャンネル数Ｌ（Ｎ＞Ｌ＞Ｍ）にミキシングして出力することを目的とする。
【０００８】
【発明を解決するための手段】
この課題を解決するために本発明は、主チャンネルと主チャンネルにミキシングしない副チャンネルの出力信号にレベル差が生じないように、主チャンネルにミキシングしない（Ｌ−Ｍ）個の副チャンネルの入力信号に、Ｎチャンネルのオーディオ信号をＭチャンネルにミキシングするための係数Ｃｎｍを用いた正規化係数を、正規化係数乗算回路で乗じて副チャンネルの出力信号として出力するように構成したものである。
【０００９】
これにより、ＤＶＤオーディオのようなマルチチャンネル・オーディオ・システム（チャンネル数＞２チャンネル）において、マルチチャンネル（Ｎ＝６）から主チャンネルであるステレオ２チャンネル（Ｍ＝２）にミキシングする係数Ｃｎｍを用いて、マルチチャンネルで再生する場合に比べてバランスを損なうことなく、Ｎチャンネルのオーディオ信号を主チャンネル数Ｍ（Ｎ＞Ｍ）を超えるチャンネル数Ｌ（Ｎ＞Ｌ＞Ｍ）にミキシングして出力することが可能なオーディオ再生装置が得られる。
【００１０】
【発明の実施の形態】
本発明の請求項１に記載の発明は、Ｎチャンネルのオーディオ信号を主チャンネル数Ｍ（Ｎ＞Ｍ）を超えるチャンネル数Ｌ（Ｎ＞Ｌ＞Ｍ）にミキシングするために、第ｎチャンネルの入力信号を第ｍチャンネルに加算するための重み係数Ｃｎｍ（ｎ＝０〜Ｎ−１，ｍ＝０〜Ｍ−１）を第ｎチャンネルの入力信号に乗じるＮ×Ｍ個の係数乗算回路と、主チャンネルの入力信号に前記係数乗算回路で係数Ｃｎｍを乗じて同じ主チャンネルに出力するＭ個除いた（Ｎ−１）×Ｍ個の前記係数乗算回路の出力を主チャンネルに加算する（Ｎ−１）×Ｍ個の加算回路と、前記加算回路に出力されないＭ個の係数乗算回路の出力と前記（Ｎ−１）×Ｍ個の加算回路の出力とを主チャンネルの出力信号に用いるか否かを選択するＮ×Ｍ個の主チャンネルスイッチ回路と、前記主チャンネルスイッチ回路を制御する主チャンネル制御回路と、係数Ｃｎｍを使った正規化係数で副チャンネルの入力信号を正規化する（Ｎ−Ｍ）個の正規化係数乗算回路と、副チャンネルの入力信号と前記正規化係数乗算回路の出力と”０”とから択一して副チャンネルの出力信号とする（Ｎ−Ｍ）個の副チャンネルスイッチ回路と、前記副チャンネルスイッチ回路を制御する副チャンネル制御回路とを設けたことを特徴とするオーディオ再生装置としたものであり、従来の技術と同様に、Ｎチャンネルのオーディオ信号をミキシングしてＭチャンネルに出力したり、ミキシングせずにＮチャンネルで出力することはもとより、主チャンネルにミキシングしない（Ｌ−Ｍ）個の副チャンネルの入力信号に、係数Ｃｎｍ用いた正規化係数を正規化係数乗算回路で乗じて副チャンネルの出力信号として出力することにより、Ｎチャンネル全てで再生する場合に比べて、マルチチャンネルオーディオ再生のバランスを損なうことなく、Ｎチャンネルのオーディオ信号を主チャンネル数Ｍ（Ｎ＞Ｍ）を超えるチャンネル数Ｌ（Ｎ＞Ｌ＞Ｍ）にミキシングして出力するという作用を有する。
【００１１】
請求項２に記載の発明は、Ｎチャンネルのオーディオ信号をＭチャンネルのオーディオ信号にミキシングして出力する場合には、主チャンネルの入力信号に係数Ｃｎｍ（ｎ＝ｍ）を乗じて同じ主チャンネルに出力するＭ個の係数乗算回路の出力を主チャンネルスイッチ回路が選択するように、主チャンネル制御回路が制御し、（Ｎ−１）×Ｍ個の加算回路の出力を主チャンネルスイッチ回路が選択するように、主チャンネル制御回路が制御し、副チャンネルスイッチ回路が”０”を選択するように副チャンネル制御回路が制御する、請求項１記載のオーディオ再生装置としたものであり、従来の技術と同様に、Ｎチャンネルのオーディオ信号をＭチャンネルのオーディオ信号にミキシングして出力するという作用を有する。
【００１２】
請求項３に記載の発明は、Ｎチャンネルのオーディオ信号をＭを越えるチャンネル数Ｌ（Ｎ＞Ｌ＞Ｍ）のオーディオ信号にミキシングして出力する場合には、主チャンネルにミキシングされる（Ｎ−Ｌ）個の副チャンネルの入力信号が係数乗算回路で係数Ｃｎｍを乗じられて（Ｎ−Ｌ）×Ｍ個の加算回路で主チャンネルのオーディオ信号と加算された信号を主チャンネルスイッチ回路が選択するように、主チャンネル制御回路が制御し、主チャンネルにミキシングされない（Ｌ−Ｍ）個の副チャンネルの入力信号が係数乗算回路で係数Ｃｎｍを乗じられて（Ｌ−Ｍ）×Ｍ個の加算回路で主チャンネルのオーディオ信号と加算された信号を主チャンネルスイッチ回路が選択しないように、主チャンネル制御回路が制御し、主チャンネルにミキシングされる（Ｎ−Ｌ）個の副チャンネルスイッチ回路が”０”を選択するように、副チャンネル制御回路が制御し、主チャンネルにミキシングされない（Ｌ−Ｍ）個の副チャンネルスイッチ回路が正規化係数乗算回路の出力を選択するように、副チャンネル制御回路が制御する、請求項１記載のオーディオ再生装置としたものであり、主チャンネルにミキシングしない（Ｌ−Ｍ）個の副チャンネルの入力信号に、係数Ｃｎｍ用いた正規化係数を、正規化係数乗算回路で乗じて副チャンネルの出力信号として出力することにより、Ｎチャンネル全てで再生する場合に比べて、マルチチャンネルオーディオ再生のバランスを損なうことなく、Ｎチャンネルのオーディオ信号を主チャンネル数Ｍ（Ｎ＞Ｍ）を超えるチャンネル数Ｌ（Ｎ＞Ｌ＞Ｍ）にミキシングして出力するという作用を有する。
【００１３】
請求項４に記載の発明は、Ｎチャンネルのオーディオ信号をミキシングせずにＮチャンネルのオーディオ信号で出力する場合には、主チャンネルの入力信号に係数Ｃｎｍ（ｎ＝ｍ）を乗じて同じ主チャンネルに出力するＭ個の係数乗算回路の出力を主チャンネルスイッチ回路が選択しないように、主チャンネル制御回路が制御し、（Ｎ−１）×Ｍ個の加算回路の出力を主チャンネルスイッチ回路が選択しないように、主チャンネル制御回路が制御し、副チャンネルスイッチ回路が副チャンネルの入力信号を選択するように、副チャンネル制御回路が制御する、請求項１記載のオーディオ再生装置としたものであり、従来の技術と同様に、Ｎチャンネルのオーディオ信号をミキシングしないでＮチャンネルのオーディオ信号を出力するという作用を有する。
【００１４】
請求項５に記載の発明は、正規化係数乗算回路が副チャンネルの入力信号に乗じる正規化係数は
（数１）
で示す係数Ｓであることを特徴とする、請求項１記載のオーディオ再生装置としたものであり、主チャンネルにミキシングしない（Ｌ−Ｍ）個の副チャンネルの入力信号に、
（数１）
に示すような係数Ｃｉｉ（０≦ｉ≦Ｍ−１）の平均値を用いた正規化係数Ｓを、正規化係数乗算回路で乗じて副チャンネルの出力信号として出力することにより、Ｎチャンネル全てで再生する場合に比べて、マルチチャンネルオーディオ再生のバランスを損なうことなく、Ｎチャンネルのオーディオ信号を主チャンネル数Ｍ（Ｎ＞Ｍ）を超えるチャンネル数Ｌ（Ｎ＞Ｌ＞Ｍ）にミキシングして出力するという作用を有する。
【００１５】
請求項６に記載の発明は、正規化係数乗算回路が副チャンネルの入力信号に乗じる正規化係数は
（数２）
で示す係数Ｓであることを特徴とする、請求項１記載のオーディオ再生装置としたものであり、主チャンネルにミキシングしない（Ｌ−Ｍ）個の副チャンネルの入力信号に、
（数２）
に示すような係数Ｃｉｉ（０≦ｉ≦Ｍ−１）を用いた正規化係数Ｓを、正規化係数乗算回路で乗じて副チャンネルの出力信号として出力することにより、Ｎチャンネル全てで再生する場合に比べて、マルチチャンネルオーディオ再生のバランスを損なうことなく、Ｎチャンネルのオーディオ信号を主チャンネル数Ｍ（Ｎ＞Ｍ）を超えるチャンネル数Ｌ（Ｎ＞Ｌ＞Ｍ）にミキシングして出力するという作用を有する。
【００１６】
請求項７に記載の発明は、Ｎチャンネルのオーディオ信号を主チャンネル数Ｍ（Ｎ＞Ｍ）を超えるチャンネル数Ｌ（Ｎ＞Ｌ＞Ｍ）にミキシングするために、Ｎチャンネルの入力信号ＸｎをＭチャンネルの出力信号Ｙｉにミキシングするための係数Ｃｎｍ（ｎ＝０〜Ｎ−１，ｍ＝０〜Ｍ−１）を用いて、Ｎチャンネルの入力信号ＸｎをＭチャンネルの出力信号Ｙｉにミキシングする
（数３）
において、主チャンネルにミキシングしない（Ｌ−Ｍ）個の副チャンネルｊの係数Ｃｊｍ（ｍ＝０〜Ｍ−１）を強制的に”０”として主チャンネルの出力信号Ｙｉを得て、
（数４）
に示すように主チャンネルにミキシングしない副チャンネルの入力信号Ｘｊに正規化係数Ｓを乗じて副チャンネルの出力信号Ｙｊを得ることを特徴とする、オーディオ再生方法としたものであり、従来の技術と同様に、Ｎチャンネルのオーディオ信号を、ミキシングしてＭチャンネルに出力することはもとより、主チャンネルにミキシングしない（Ｌ−Ｍ）個の副チャンネルの入力信号に、係数Ｃｎｍ用いた正規化係数を、正規化係数乗算回路で乗じて副チャンネルの出力信号として出力することにより、Ｎチャンネル全てで再生する場合に比べて、マルチチャンネルオーディオ再生のバランスを損なうことなく、Ｎチャンネルのオーディオ信号を主チャンネル数Ｍ（Ｎ＞Ｍ）を超えるチャンネル数Ｌ（Ｎ＞Ｌ＞Ｍ）にミキシングして出力するという作用を有する。
【００１７】
以下、本発明の実施の形態について、図１〜図６を用いて説明する。
【００１８】
（実施の形態１）
図１〜図６は本発明のオ−ディオ再生装置の構成ブロック図で、例えば図１はＮ（Ｎ＝６）チャンネル（Ｌｆ，Ｒｆ，Ｃ，Ｌｓ，Ｒｓ，ＬＦＥ）のオーディオ信号のうち、Ｌｓ（左サラウンド），Ｒｓ（右サラウンド）のみを、主チャンネル（Ｍ＝２）であるＬｆ（左フロント），Ｒｆ（右フロント）にミキシングして、Ｌ（Ｌ＝４）チャンネルで出力する場合を示す。
【００１９】
図１〜図６において、１０１〜１０６はＮ（＝６）チャンネルの入力端子、１０７〜１１２はＮ（＝６）チャンネルの出力端子、１３９〜１５０は第ｎチャンネルの入力信号を第ｍチャンネルに加算するための重み係数Ｃｎｍ（ｎ＝０〜５（＝Ｎ−１），ｍ＝Ｌ，Ｒ（０〜Ｍ−１））を第ｎチャンネルの入力信号に乗じる１２（＝Ｎ×Ｍ）個の係数乗算回路、１２９〜１３８は主チャンネル（Ｌｆ，Ｒｆ）の入力信号に前記係数乗算回路１３９，１４２で係数Ｃｎｍを乗じて同じ主チャンネルに出力するＭ個を除いた（Ｎ−１）×Ｍ（＝１０）個の前記係数乗算回路１４０，１４１，１４３〜１５０の出力を主チャンネルに加算する（Ｎ−１）×Ｍ（＝１０）個の加算回路、１１３〜１２４は前記加算回路１２９〜１３８に出力されないＭ個の係数乗算回路１３９，１４２の出力と前記（Ｎ−１）×Ｍ個の加算回路１２９〜１３８の出力とを主チャンネルの出力信号に用いるか否かを選択するＮ×Ｍ（＝１２）個の主チャンネルスイッチ回路、１６１は前記主チャンネルスイッチ回路１１３〜１２４を制御する主チャンネル制御回路、１５１〜１５４は係数Ｃｎｍを使った正規化係数で副チャンネルの入力信号を正規化する（Ｎ−Ｍ）（＝４）個の正規化係数乗算回路、１２５〜１２８は副チャンネルの入力信号と前記正規化係数乗算回路の出力と”０”とから択一して副チャンネルの出力信号とする（Ｎ−Ｍ）（＝４）個の副チャンネルスイッチ回路、１６２は前記副チャンネルスイッチ回路１２５〜１２８を制御する副チャンネル制御回路から構成されている。
【００２０】
次に、本発明を具体的に出力モードに分けて説明する。
【００２１】
（実施例１）
図１を用いて、Ｎ（Ｎ＝６）チャンネル（Ｌｆ，Ｒｆ，Ｃ，Ｌｓ，Ｒｓ，ＬＦＥ）のオーディオ信号のうち、Ｌｓ（左サラウンド），Ｒｓ（右サラウンド）のみを、主チャンネル（Ｍ＝２）であるＬｆ（左フロント），Ｒｆ（右フロント）にミキシングして、Ｌ（Ｌ＝４）チャンネルで出力する場合を説明する。
【００２２】
図１において、まず６チャンネル（Ｌｆ，Ｒｆ，Ｃ，Ｌｓ，Ｒｓ，ＬＦＥ）の入力信号が６チャンネルの入力端子１０１〜１０６から入力される。次に係数乗算回路１３９〜１５０が第ｎチャンネルの入力信号を第ｍチャンネルに加算するための重み係数Ｃｎｍ（ｎ＝０〜５（＝Ｎ−１），ｍ＝Ｌ，Ｒ（０〜Ｍ−１））を第ｎチャンネルの入力信号に乗じる。そして加算回路１２９〜１３８が主チャンネル（Ｌｆ，Ｒｆ）の入力信号に係数乗算回路１４０，１４１，１４３〜１５０の出力を加算する。次に主チャンネル制御回路１６１の制御に基づき、主チャンネルスイッチ回路１１３〜１２４が係数乗算回路１３９，１４２の出力と加算回路１２９〜１３８の出力とを主チャンネルの出力信号に用いるか否かを選択する。つまりＣ，ＬＦＥのように主チャンネルにミキシングしないチャンネルに対応する主チャンネルスイッチ回路１１５，１２１，１１８，１２４は、加算回路１３０，１３５，１３３，１３８の出力を選択せず、Ｌｆ，Ｒｆ，Ｌｓ，Ｒｓのように主チャンネルにミキシングするチャンネルに対応する主チャンネルスイッチ回路１１４，１２０，１１６，１２２，１１７，１２３は、加算回路１２９，１３４，１３１，１３６，１３２，１３７の出力を選択し、主チャンネルＬｆ，Ｒｆの入力信号に係数Ｃ０Ｌ，Ｃ１Ｒを乗じる係数乗算回路１３９，１４２の出力を受ける主チャンネルスイッチ回路１１３，１１９は係数乗算回路１３９，１４２の出力を選択するように、主チャンネル制御回路１６１が主チャンネルスイッチ回路１１３〜１２４の制御を行う。そして正規化係数乗算回路１５１〜１５４は係数Ｃｎｍ（ｎ＝ｍ）を使った正規化係数（Ｃ０Ｌ＋Ｃ１Ｒ）／２を副チャンネル（Ｃ，Ｌｓ，Ｒｓ，ＬＦＥ）の入力信号に乗じて正規化する。
【００２３】
次に副チャンネル制御回路１６２の制御に基づき、副チャンネルスイッチ回路１２５〜１２８が副チャンネルの入力信号と正規化係数乗算回路１５１〜１５４の出力と”０”とから択一して副チャンネルの出力信号とする。つまりＣ，ＬＦＥのように主チャンネルにミキシングしないチャンネルに対応する副チャンネルスイッチ回路１２５，１２８は、正規化係数乗算回路１５１、１５４の出力を選択し、Ｌｓ，Ｒｓのように主チャンネルにミキシングするチャンネルに対応する副チャンネルスイッチ回路１２６，１２７は”０”を選択するように、副チャンネル制御回路１６２が副チャンネルスイッチ回路１２５〜１２８の制御を行う。
【００２４】
（実施例２）
図２はＮ（Ｎ＝６）チャンネル（Ｌｆ，Ｒｆ，Ｃ，Ｌｓ，Ｒｓ，ＬＦＥ）のオーディオ信号のうち、Ｃ（センター）のみを、主チャンネル（Ｍ＝２）であるＬｆ（左フロント），Ｒｆ（右フロント）にミキシングして、Ｌ（Ｌ＝５）チャンネルで出力する場合のブロック図を示す。
【００２５】
図１との相違は、まずＬｓ，Ｒｓ，ＬＦＥのように主チャンネルにミキシングしないチャンネルに対応する主チャンネルスイッチ回路１１６〜１１８，１２２〜１２４は、加算回路１３１〜１３３，１３６〜１３８の出力を選択せず、Ｌｆ，Ｒｆ，Ｃのように主チャンネルにミキシングするチャンネルに対応する主チャンネルスイッチ回路１１４，１１５，１２０，１２１は、加算回路１２９，１３０，１３４，１３５の出力を選択し、主チャンネルＬｆ，Ｒｆの入力信号に係数Ｃ０Ｌ，Ｃ１Ｒを乗じる係数乗算回路１３９，１４２の出力を受ける主チャンネルスイッチ回路１１３，１１９は係数乗算回路１３９，１４２の出力を選択するように、主チャンネル制御回路１６１が主チャンネルスイッチ回路１１３〜１２４の制御を行う。そしてＬｓ，Ｒｓ，ＬＦＥのように主チャンネルにミキシングしないチャンネルに対応する副チャンネルスイッチ回路１２６〜１２８は、正規化係数乗算回路１５２〜１５４の出力を選択し、Ｃのように主チャンネルにミキシングするチャンネルに対応する副チャンネルスイッチ回路１２５は”０”を選択するように、副チャンネル制御回路１６２が副チャンネルスイッチ回路１２５〜１２８の制御を行う。
【００２６】
（実施例３）
図３はＮ（Ｎ＝６）チャンネル（Ｌｆ，Ｒｆ，Ｃ，Ｌｓ，Ｒｓ，ＬＦＥ）のオーディオ信号のうち、ＬＦＥのみを、主チャンネル（Ｍ＝２）であるＬｆ（左フロント），Ｒｆ（右フロント）にミキシングして、Ｌ（Ｌ＝５）チャンネルで出力する場合のブロック図を示す。
【００２７】
図１との相違は、まずＣ，Ｌｓ，Ｒｓのように主チャンネルにミキシングしないチャンネルに対応する主チャンネルスイッチ回路１１５〜１１７，１２１〜１２３は、加算回路１３０〜１３２，１３５〜１３７の出力を選択せず、Ｌｆ，Ｒｆ，ＬＦＥのように主チャンネルにミキシングするチャンネルに対応する主チャンネルスイッチ回路１１４，１１８，１２０，１２４は、加算回路１２９，１３３，１３４，１３８の出力を選択し、主チャンネルＬｆ，Ｒｆの入力信号に係数Ｃ０Ｌ，Ｃ１Ｒを乗じる係数乗算回路１３９，１４２の出力を受ける主チャンネルスイッチ回路１１３，１１９は係数乗算回路１３９，１４２の出力を選択するように、主チャンネル制御回路１６１が主チャンネルスイッチ回路１１３〜１２４の制御を行う。そしてＣ，Ｌｓ，Ｒｓのように主チャンネルにミキシングしないチャンネルに対応する副チャンネルスイッチ回路１２５〜１２７は、正規化係数乗算回路１５１〜１５３の出力を選択し、ＬＦＥのように主チャンネルにミキシングするチャンネルに対応する副チャンネルスイッチ回路１２８は”０”を選択するように、副チャンネル制御回路１６２が副チャンネルスイッチ回路１２５〜１２８の制御を行う。
【００２８】
（実施例４）
図４はＮ（Ｎ＝６）チャンネル（Ｌｆ，Ｒｆ，Ｃ，Ｌｓ，Ｒｓ，ＬＦＥ）のオーディオ信号をミキシングせずに、Ｎチャンネルで出力する場合のブロック図を示す。
【００２９】
図１との相違は、まず主チャンネルにミキシングする主チャンネルと副チャンネルはないので、主チャンネルスイッチ回路１１４〜１１８，１２０〜１２４は、加算回路１２９〜１３３，１３４〜１３８の出力を選択せず、主チャンネルＬｆ，Ｒｆの入力信号に係数Ｃ０Ｌ，Ｃ１Ｒを乗じる係数乗算回路１３９，１４２の出力を受ける主チャンネルスイッチ回路１１３，１１９は係数乗算回路１３９，１４２の出力を選択しないように、主チャンネル制御回路１６１が主チャンネルスイッチ回路１１３〜１２４の制御を行う。そして全ての副チャンネルスイッチ回路１２５〜１２８が、入力端子１０３〜１０６からの副チャンネルの入力信号を選択するように、副チャンネル制御回路１６２が副チャンネルスイッチ回路１２５〜１２８の制御を行う。
【００３０】
（実施例５）
図５はＮ（Ｎ＝６）チャンネル（Ｌｆ，Ｒｆ，Ｃ，Ｌｓ，Ｒｓ，ＬＦＥ）のオーディオ信号のうち、全ての副チャンネルのＬｓ，Ｒｓ，Ｃ，ＬＦＥを、主チャンネル（Ｍ＝２）であるＬｆ（左フロント），Ｒｆ（右フロント）にミキシングして、Ｍチャンネルで出力する場合のブロック図を示す。
【００３１】
図１との相違は、まず主チャンネルに全ての主チャンネルと副チャンネルをミキシングするので、主チャンネルスイッチ回路１１４〜１１８，１２０〜１２４は、加算回路１２９〜１３３，１３４〜１３８の出力を選択し、主チャンネルＬｆ，Ｒｆの入力信号に係数Ｃ０Ｌ，Ｃ１Ｒを乗じる係数乗算回路１３９，１４２の出力を受ける主チャンネルスイッチ回路１１３，１１９は係数乗算回路１３９，１４２の出力を選択するように、主チャンネル制御回路１６１が主チャンネルスイッチ回路１１３〜１２４の制御を行う。そして全ての副チャンネルスイッチ回路１２５〜１２８が”０”を選択するように、副チャンネル制御回路１６２が副チャンネルスイッチ回路１２５〜１２８の制御を行う。
【００３２】
なお、本実施の形態では、第ｎチャンネルの入力信号を第ｍチャンネルに加算するための重み係数Ｃｎｍ（ｎ＝０〜５（＝Ｎ−１），ｍ＝Ｌ，Ｒ（０〜Ｍ−１））を≧０として扱っているが、当然極性を持った負の値をとっても構わない。ただしこの場合には、正規化係数は（Ｃ０Ｌ＋Ｃ１Ｒ）／２ではなく、係数を絶対値化した（｜Ｃ０Ｌ｜＋｜Ｃ１Ｒ｜）／２にする必要がある。これにより係数Ｃｎｍが正でも負でも対応できるようになる。
【００３３】
また、本実施の形態では、正規化係数Ｓを（Ｃ０Ｌ＋Ｃ１Ｒ）／２のようにＣ０ＬとＣ１Ｒの平均値としたが、一般的にはＣ０ＬとＣ１Ｒは同じ値をとり、その時には（Ｃ０Ｌ＋Ｃ１Ｒ）／２＝Ｃ０Ｌ＝Ｃ１Ｒとなるので、正規化係数ＳはＣ０ＬかＣ１Ｒのいずれかの値にしても良い。この場合には正規化係数Ｓの演算は必要なくなる。また係数Ｃｎｍ≧０として扱っているが、当然極性を持った負の値をとっても構わない。ただしこの場合には、正規化係数はＣ０Ｌ，Ｃ１Ｒではなく、係数を絶対値化した｜Ｃ０Ｌ｜，｜Ｃ１Ｒ｜にする必要がある。これにより係数Ｃｎｍが正でも負でも対応できるようになる。
【００３４】
さらに本実施の形態では、主チャンネル制御回路１６１と副チャンネル制御回路１６２は、オーディオ再生装置の使用者が設定した出力チャンネルの情報に基づいて動作すると想定しているが、これは出力端子１０７〜１１２にケーブルや機器が接続されているか否かに基づいて動作しても良い。これにより自動的に主チャンネル制御回路１６１と副チャンネル制御回路１６２が主チャンネルスイッチ回路１１３〜１２４と副チャンネルスイッチ回路１２５〜１２８とを制御できるようになる。
【００３５】
また、本実施の形態では、Ｌ（２＜Ｌ＜６）チャンネルにミキシングして出力する時は、主チャンネルスイッチ回路１１４，１２０は、係数乗算回路１４０，１４１で主チャンネルＬｆ、Ｒｆの入力信号に係数Ｃ１Ｌ，Ｃ０Ｒを乗じ、他の主チャンネルへミキシングする加算回路１２９，１３４の出力を選択するように切り換えているが、主チャンネルスイッチ回路１１４，１２０は、加算回路１２９，１３４の出力を選択しなくても良い。Ｍ（＝２）チャンネルにミキシングするとき以外は、必ずしも主チャンネル間の入力信号の相互ミキシングが必要ではないからである。
【００３６】
（実施の形態２）
図６はＮ（Ｎ＝６）チャンネル（Ｌｆ，Ｒｆ，Ｃ，Ｌｓ，Ｒｓ，ＬＦＥ）のオーディオ信号のうち、副チャンネル（Ｃ，Ｌｓ，Ｒｓ，ＬＦＥ）の内の任意のチャンネルを主チャンネル（Ｍ＝２）であるＬｆ（左フロント），Ｒｆ（右フロント）にミキシングして、Ｌ（Ｎ＞Ｌ＞Ｍ）チャンネルもしくはＭチャンネルで出力する場合のオーディオ再生方法のフローチャートを示す。
【００３７】
図６において、まずステップ６１（以下ｓ６１と略す。他ステップも同様とする）で正規化係数Ｓを計算する。次に、ｓ６２で出力信号Ｙ０〜Ｙ５を０クリアする。そして、ｓ６３でＮチャンネルの入力信号Ｘ０〜Ｘ５を入力する。次に、ｓ６４で変数ｎ（ｎ＝０〜Ｎ−１）を０クリアする。そして、ｓ６５でミキシングせずにＮチャンネルで出力するのかミキシングしてＬ（Ｎ＞Ｌ＞Ｍ）チャンネルかＭチャンネルで出力するのかの判定を行い、ミキシングせずにＮチャンネルで出力する場合にはｓ７６に行って、ｓ７６で第ｎチャンネルの入力信号Ｘｎをそのまま第ｎチャンネルの出力信号Ｙｎとし、ｓ７７で変数ｎを１増加させ、ｓ７８で変数ｎがＮ以上になったかの判定を行い、ｎがＮ未満ならば処理が完了していないのでｓ７６に戻り、ｎがＮ以上ならば処理が完了しているのでｓ７３に行く。
【００３８】
さて、先程のｓ６５でＬチャンネルかＭチャンネルにミキシングすると判定した場合にはｓ６６へ行き、ｓ６６で第ｎチャンネルを主チャンネルにミキシングするか否かの判定を行い、ミキシングしない場合はｓ７５に行き、ｓ７５で第ｎチャンネル入力信号Ｘｎにｓ６１で求めた正規化係数Ｓを乗して第ｎチャンネル出力信号Ｙｎを求めてｓ７１に行く。
【００３９】
逆に、ｓ６６で第ｎチャンネルを主チャンネルにミキシングすると判定した場合には、ｓ６７で変数ｉ（Ｍ＞ｉ≧０）を０クリアする。次に、ｓ６８で第ｎチャンネルの入力信号を第ｉチャンネルに加算するための重み係数Ｃｎｉを第ｎチャンネルの入力信号Ｘｎに乗じて第ｉチャンネルの出力信号Ｙｉに加算する。そしてｓ６９で変数ｉを１増加させ、ｓ７０で変数ｉがＭ以上になったかの判定を行い、ｉがＭ未満ならば処理が完了していないのでｓ６８に戻って処理を繰り返し、ｉがＭ以上ならば処理が完了しているのでｓ７１へ行く。
【００４０】
最後に、ｓ７１で変数ｎを１増加させ、ｓ７２で変数ｎがＮ以上になったかの判定を行い、ｎがＮ未満ならば処理が完了していないのでｓ６６に戻って処理を繰り返し、ｎがＮ以上ならば処理が完了しているのでｓ７３へ行く。そしてｓ７３でＮチャンネルの出力信号Ｙ０〜Ｙ５を出力し、ｓ７４で処理が終了したか否かの判定を行い、終了していないならばｓ６２に戻って処理を繰り返し、終了しているならばｓ７９で処理を終了する。
【００４１】
なお、本実施の形態では、第ｎチャンネルの入力信号を第ｍチャンネルに加算するための重み係数Ｃｎｍ（ｎ＝０〜５（＝Ｎ−１），ｍ＝Ｌ，Ｒ（０〜Ｍ−１））を≧０として扱っているが、当然極性を持った負の値をとっても構わない。ただしこの場合には、ｓ６１で求めている正規化係数は（Ｃ０Ｌ＋Ｃ１Ｒ）／２ではなく、係数を絶対値化した（｜Ｃ０Ｌ｜＋｜Ｃ１Ｒ｜）／２にする必要がある。これにより係数Ｃｎｍが正でも負でも対応できるようになる。
【００４２】
なお、本実施例ではｓ６１で求めている正規化係数Ｓを（Ｃ０Ｌ＋Ｃ１Ｒ）／２のようにＣ０ＬとＣ１Ｒの平均値としたが、一般的にはＣ０ＬとＣ１Ｒは同じ値をとり、その時には（Ｃ０Ｌ＋Ｃ１Ｒ）／２＝Ｃ０Ｌ＝Ｃ１Ｒとなるので、正規化係数ＳはＣ０ＬかＣ１Ｒのいずれかの値にしても良い。この場合にはｓ６１での正規化係数Ｓの演算は必要なくなる。また係数Ｃｎｍ≧０として扱っているが、当然極性を持った負の値をとっても構わない。ただしこの場合には、正規化係数はＣ０Ｌ，Ｃ１Ｒではなく、係数を絶対値化した｜Ｃ０Ｌ｜，｜Ｃ１Ｒ｜にする必要がある。これにより係数Ｃｎｍが正でも負でも対応できるようになる。
【００４３】
【発明の効果】
以上のように本発明によれば、正規化係数Ｓとして（Ｃ０Ｌ＋Ｃ１Ｒ）／２のように主チャンネル自身のミキシング係数Ｃ０ＬとＣ１Ｒの平均値を求め、主チャンネルにミキシングしない（Ｌ−Ｍ）個の副チャンネルの入力信号に、この正規化係数Ｓを正規化係数乗算回路で乗じて副チャンネルの出力信号として出力することにより、Ｌｆチャンネルの入力信号にはＣ０Ｌの係数が乗じられて出力され、Ｒｆチャンネルの入力信号にはＣ１Ｒの係数が乗じられて出力されるので、主チャンネルにミキシングされない副チャンネルの出力信号と主チャンネルの出力信号とのレベル差はなくなり、その結果、Ｎチャンネル全てで再生する場合に比べて、マルチチャンネルオーディオ再生のバランスを損なうことなく、Ｎチャンネルのオーディオ信号を主チャンネル数Ｍ（Ｎ＞Ｍ）を超えるチャンネル数Ｌ（Ｎ＞Ｌ＞Ｍ）にミキシングして出力することが可能になるという有利な効果が得られる。
【図面の簡単な説明】
【図１】本発明の一実施の形態によるオーディオ再生装置でＬｓ、Ｒｓを主チャンネルにミキシングする場合のブロック図
【図２】本発明の一実施の形態によるオーディオ再生装置でＣを主チャンネルにミキシングする場合を示すブロック図
【図３】本発明の一実施の形態によるオーディオ再生装置でＬＦＥを主チャンネルにミキシングする場合を示すブロック図
【図４】本発明の一実施の形態によるオーディオ再生装置で全ての副チャンネルを主チャンネルにミキシングしない場合を示すブロック図
【図５】本発明の一実施の形態によるオーディオ再生装置で全ての副チャンネルを主チャンネルにミキシングする場合を示すブロック図
【図６】本発明の一実施の形態によるオーディオ再生方法を示すフローチャート
【図７】従来のオーディオ再生装置で、全ての副チャンネルを主チャンネルにミキシングしない場合を示すブロック図
【図８】従来のオーディオ再生装置で全ての副チャンネルを主チャンネルにミキシングする場合を示すブロック図
【符号の説明】
１１３〜１２４  主チャンネルスイッチ回路
１２５〜１２８  副チャンネルスイッチ回路
１２９〜１３８  加算回路
１３９〜１５０  係数乗算回路
１５１〜１５４  正規化係数乗算回路
１６１  主チャンネル制御回路
１６２  副チャンネル制御回路
【図１】
0004269489.tif 000006
【図２】
0004269489.tif 000007
【図３】
0004269489.tif 000008
【図４】
0004269489.tif 000009
【図５】
0004269489.tif 000010
【図６】
0004269489.tif 000011
【図７】
0004269489.tif 000012
【図８】
0004269489.tif 000013